(57)【要約】      （修正有）【課題】プリント基板を電子機器ケースに収納する時の作業時間を短縮させる。【解決手段】電子機器１０は、電子部品２０が実装される略四角形のプリント基板３０と、このプリント基板３０を収納する筒状の電子機器ケース４０を備え、この電子機器ケースは、Ｄ字状あるいはカマボコ状の断面形状をなし、この断面形状は、それぞれ、プリント基板の一辺の長さとほぼ等しいまたはやや長い長さの直径の半円形をなす半円形曲面部４１、この半円形曲面部の中心と等しい位置から、半円形の半径とほぼ同じ長さで軌跡を描き、半円形曲面部から突出する２つの曲面側壁部４２、４３、この２つの曲面側壁部を結ぶように備えられる直線状の平面部４４、を備えるので、プリント基板を電子機器ケースに収納する時の作業時間を短縮させることができるとともに、寸法バラツキを低減させることが可能になる。【選択図】図１
2011049443.tif 000002
【特許請求の範囲】
【請求項１】
電子部品が実装される略四角形のプリント基板と、前記プリント基板を収納する筒状の電子機器ケースと、を備える電子機器であって、
前記電子機器ケースは、Ｄ字状あるいはカマボコ状の断面形状をなし、
この断面形状は、それぞれ、
前記プリント基板の一辺の長さとほぼ等しいまたはやや長い長さの直径の半円形をなす半円形曲面部、
この半円形曲面部の中心と等しい位置から、前記半円形の半径とほぼ同じ長さで軌跡を描き、前記半円形曲面部から突出する２つの曲面側壁部、
この２つの前記曲面側壁部を結ぶように備えられる直線状の平面部、
からなることを特徴とする電子機器。
【請求項２】
電子部品が実装される略四角形のプリント基板と、前記プリント基板を収納する筒状の電子機器ケースと、を備える電子機器であって、
前記電子機器ケースは、Ｄ字状あるいはカマボコ状の断面形状をなし、
この断面形状は、それぞれ、
前記プリント基板の一辺の長さとほぼ等しいまたはやや長い長さの直径の半円形をなす半円形曲面部、
この半円形曲面部の中心と等しい位置から、前記半円形の半径とほぼ同じ長さで軌跡を描き、前記半円形曲面部から突出する２つの曲面側壁部、
この２つの前記曲面側壁部を結ぶように備えられる直線状の平面部、
この平面部に対向するとともに、前記円形曲面部の一部を平面に形成する上面平面部、
からなることを特徴とする電子機器。
【請求項３】
前記電子機器ケースは、一体成形されることを特徴とする請求項１または請求項２に記載の電子機器。
【請求項４】
前記プリント基板を前記電子機器ケースに固定する固定部を有することを特徴とする請求項１〜請求項３のいずれかに記載の電子機器。
【請求項５】
前記プリント基板はアース端子を備え、
前記電子機器ケースおよび前記固定部は、伝導性を有する金属からなり、前記アース端子に電気的に接続することを特徴とする請求項４に記載の電子機器。
【請求項６】
前記固定部は、前記曲面側壁部に一体成形されることを特徴とする請求項４または請求項５に記載の電子機器。
【請求項７】
前記固定部は、前記電子機器ケースとは別体の固定具であって、この固定具は、前記プリント基板の長手方向の両端部に取り付けられるとともに、前記ケースの両端部に接して、前記プリント基板を前記電子機器ケースに挿入する挿入方向のスライドを規制することを特徴とする請求項４または請求項５に記載の電子機器。
【請求項８】
前記プリント基板と前記電子機器ケースとの間に、絶縁性を有する絶縁部材を備えることを特徴とする請求項１〜請求項７のいずれかに記載の電子機器。
【請求項９】
前記プリント基板を前記電子機器ケースに挿入する挿入方向に前記半円形曲面部よりも突出し、被取付機器に取り付ける機器取付穴を備えることを特徴とする請求項１〜請求項８のいずれかに記載の電子機器。
【発明の詳細な説明】
【技術分野】
【０００１】
本発明は、電子部品が実装されたプリント基板を電子機器ケースに収納する構造の技術に関するものである。
【背景技術】
【０００２】
例えば、プリント基板の電子機器ケースはケース下部とケース上部の２部品で構成され、ケース下部に電子部品が実装されたプリント基板をセットし、ケース上部と嵌合させる構造が一般的に広く知られている。（例えば、特許文献１参照。）
【先行技術文献】
【特許文献】
【０００３】
【特許文献１】特開２００１−３５７９８６号公報（段落「００４３」〜段落「００４７」、図１参照。）
【発明の概要】
【発明が解決しようとする課題】
【０００４】
ケース下部とケース上部の２部品で構成される電子機器ケースの場合、それぞれが製造寸法公差を有している。例えばプリント基板を保持する機構や、電子機器ケース相互を嵌合する機構、また電子機器ケース相互やプリント基板のズレを抑制する機構などがある。
【０００５】
これらのバラツキによって嵌合が悪くケース上部とケース下部との嵌合部にガタツキが発生したり、プリント基板に実装された電子部品と電子機器ケースの内側が接触したりしてしまう問題がある。また、製造工程でも基板をケース下部にセットし、プリント基板の位置を調整してケース上部を嵌合させる為、作業者によって組み立て時間に差がでるといった問題もある。
【０００６】
また、２つの部品を嵌合させる構造である為、ねじれによる電子機器ケースの変形が生じてしまう問題もある。
【０００７】
本発明は、電子部品搭載されたプリント基板を電子機器ケースに収納する構造において、組み立て時の作業効率を上げ、寸法公差によるプリント基板のガタツキを抑制し、且つ電子機器ケースの強度を確保できる電子機器装置の構造を提供する。
【課題を解決するための手段】
【０００８】
本発明にかかる電子機器は、電子部品が実装される略四角形のプリント基板と、このプリント基板を収納する筒状の電子機器ケースを備え、電子機器ケースは、Ｄ字状あるいはカマボコ状の断面形状をなし、この断面形状は、それぞれ、プリント基板の一辺の長さとほぼ等しいまたはやや長い長さの直径の半円形をなす半円形曲面部、この半円形曲面部の中心と等しい位置から、半円形の半径とほぼ同じ長さで軌跡を描き、半円形曲面部から突出する２つの曲面側壁部、この２つの曲面側壁部を結ぶように備えられる直線状の平面部からなることを特徴とする。
【発明の効果】
【０００９】
本発明によれば、プリント基板を電子機器ケースに収納する時の作業時間を短縮させることができるとともに、２以上のケースを嵌合させる構造と比較して、寸法バラツキを低減させることが可能になる。
【図面の簡単な説明】
【００１０】
【図１】実施の形態１における電子機器の斜視図である。
【図２】図１に示す電子機器の短手方向の側面を示す短手側面図である。
【図３】図１に示す電子機器の分解斜視図である。
【図４】図１に示す電子機器の組み立て工程を示す組立斜視図である。
【図５】図２に示す電子機器のプリント基板を模式的に拡大した端面模式図である。
【図６】実施の形態１における電子機器を備える照明器具の斜視図である。
【図７】図６に示す照明器具の分解斜視図である。
【図８】実施の形態２における電子機器の斜視図である。
【図９】図８に示す電子機器の長手方向の側面を示す長手側面図である。
【図１０】図８に示す電子機器の短手方向の側面を示す短手側面図である。
【図１１】図８に示す電子機器の組み立て工程を示す組立斜視図である。
【図１２】実施の形態２における他の電子機器の短手方向の側面を示す短手側面図である。
【図１３】実施の形態３における電子機器の斜視図である。
【図１４】図１３に示す電子機器の長手方向の側面を示す長手側面図である。
【図１５】図１３に示す電子機器の短手方向の側面を示す短手側面図である。
【図１６】図１３に示す電子機器の基板固定部材の斜視図である。
【図１７】実施の形態３における電子機器の斜視図である。
【図１８】図１７に示す電子機器の長手方向の側面を示す長手側面図である。
【図１９】図１７に示す電子機器の短手方向の側面を示す短手側面図である。
【図２０】図１７に示す電子機器の基板固定部材の斜視図および側面図である。
【図２１】実施の形態４における電子機器の斜視図である。
【図２２】図２１に示す電子機器の短手方向の側面を示す短手側面図である。
【図２３】図２１に示す電子機器の基板固定部材の斜視図である。
【図２４】実施の形態４における他の電子機器の斜視図である。
【図２５】図２４に示す電子機器の長手方向の側面を示す長手側面図である。
【図２６】図２４に示す電子機器の短手方向の側面を示す短手側面図である。
【図２７】図２４に示す電子機器の基板固定部材の斜視図および側面図である。
【発明を実施するための形態】
【００１１】
実施の形態１．
図１は、本実施の形態を示す電子機器の斜視図であり、図２は、図１に示す電子機器の短手方向の側面を示す短手側面図であり、図３は、図１に示す電子機器の分解斜視図である。
【００１２】
電子機器１０は、電子部品２０が実装される略長方形のプリント基板３０と、このプリント基板３０を収納する筒状の電子機器ケース４０を備える。
【００１３】
電子部品２０は、トランス２０ａ、コンデンサ２０ｂ、２０ｃ、端子台２０ｄ、２０ｅなどの部品であり、プリント基板３０に半田などによって固定され、実装される。
【００１４】
端子台２０ｄ、２０ｅは、それぞれプリント基板３０の長手方向の両端部に実装され、電源線などの電線が接続される。
【００１５】
プリント基板３０は、長手方向の端部側に取付穴３１を備える。
【００１６】
電子機器ケース４０は、断面形状がＤ字状あるいはカマボコ状をなしている。
【００１７】
この電子機器ケース４０の断面形状は、それぞれ、プリント基板３０の一辺の長さとほぼ等しいまたはやや長い長さの直径（半径ｒ）の半円形をなす半円形曲面部４１と、この半円形曲面部４１の中心と等しい位置から、半円形曲面部４１の半径ｒと同じ長さで軌跡を描き、半円形曲面部４１から突出する２つの曲面側壁部４２、４３と、この２つの曲面側壁部４２、４３を結ぶように備えられる略直線状の平面部４４と、プリント基板３０を固定する基板固定機構４５（固定部）と、この基板固定機構４５にネジ４６が取り付けられるネジ受け穴４７と、被取付機器に取り付けるネジなどが挿入される機器取付穴４８からなっている。
【００１８】
電子機器ケース４０の断面は、平面部４４以外の断面（半円形曲面部４１および曲面側壁部４２、４３）が略真円となっている。「略真円」とは、電子機器ケース４０の平面部４４以外の円弧部分の公称径が真円であることを示すが、電子機器ケース４０の寸法公差は許容できるものとする。
【００１９】
曲面側壁部４２、４３の長手方向の長さは、半円形曲面部４１の長手方向の長さよりも長くなっている。そのため、端子台２０ｄ、２０ｅの上面を半円形曲面部４１で覆わないようにしているので、電源線などの電線を端子台２０ｄ、２０ｅに接続し易くしている。
【００２０】
平面部４４は、電子機器ケース４０を後述する照明器具１００などの被取付機器へ取り付けた時に、電子機器ケース４０が安定した状態で被取付機器に固定されるように、後述する被取付機器の取付部２０１に面接触する。
【００２１】
なお、半円形曲面部４１よりも延出させた曲面側壁部４２、４３の高さは、取り付けられるプリント基板の厚さや端子台２０ｄ、２０ｅに電線を挿入する作業性などを考慮して、電子機器ケース４０の端部の中心線ｐ−ｐよりも平面部４４側に低くしてもよい。
【００２２】
また、平面部４４の寸法は、電子機器ケース４０を被取付機器の取付部２０１（平面）に置いた時に、電子機器ケース４０が安定して静止する寸法である。したがって、電子機器ケース４０は、半円形曲面部４１または曲面側壁部４２、４３の曲面によって、取付部２０１への取り付けが不安定になることなく、取付部２０１に取り付けることができる。
【００２３】
また、基板固定機構４５は、曲面側壁部４２の長手方向の一端側、かつ、電子機器ケース４０の内側方向に折り曲げられて形成する。
【００２４】
次に、本実施の形態に示す電子機器の組立工程について説明する。
【００２５】
図４は、図１に示す電子機器の組み立て工程を示す組立図であり、図４（ａ）は、電子機器ケースにプリント基板を挿入する過程、図４（ｂ）は、電子機器ケースにプリント基板を挿入した状態をそれぞれ示している。
【００２６】
図５は、図２の電子機器を模式的に拡大した端面模式図である。図５は、プリント基板の短手方向の長さと、電子機器ケースの内壁との関係を説明するために、プリント基板の端面を部分的に拡大している。
【００２７】
まず、電子機器ケース４０の長手方向のいずれかの端部からプリント基板３０を挿入する。なお、電子機器ケース４０の長手方向の一端側には、プリント基板固定機能４５を有しているので、プリント基板固定機能４５を有していない電子機器ケース４０の長手方向の他端側から挿入する方が、プリント基板３０を挿入し易い。
【００２８】
プリント基板３０の断面対角寸法Ｚは、電子機器ケース４０の円弧内寸Ｒと同じまたはやや短い寸法となるように設定している。
【００２９】
したがって、プリント基板３０の断面対角寸法Ｚ（両側端部の対角を結ぶ線の長さ）は、電子機器ケース４０の円弧内寸Ｒと同等であるため、プリント基板３０が電子機器ケース４０の開口部に挿入すると、プリント基板３０の両側端部（プリント基板３０の両側端部の角部）が電子機器ケース４０の内壁に接触し、電子機器ケース４０の円弧内寸Ｒに対するプリント基板３０の位置（図４の矢印Ａ１〜矢印Ａ４で示す上下左右方向）は自然と決まる。
【００３０】
次に、プリント基板３０をＡ方向にスライドさせて電子機器ケース４０内に収納する。その後、プリント基板３０を電子機器ケース４０の内壁に沿って回転させ、プリント基板３０の長手方向端部側を基板固定機構４５に接触させ、プリント基板３０の取付穴３１にネジ４６などの固定部材を挿入して基板固定機構４５のネジ受け穴４７にねじ込み、プリント基板３０を基板固定機構４５に固定する。
【００３１】
このように、プリント基板３０は、短手方向の一端側には取付穴３１が設けられており、この取付穴３１にネジ４６を挿入して、プリント基板３０を基板固定機構４５に固定する。したがって、プリント基板３０が電子機器ケース４０の内径に沿って回転するのを防止できる。
【００３２】
また、プリント基板３０を電子機器ケース４０に収納するとともに固定するので、互いの寸法公差を考慮する部品が少なくなるため、電子機器ケース４０およびプリント基板３０の寸法公差の影響を受けにくくすることができる。
【００３３】
また、電子機器ケース４０は、押し出し加工または成型加工によって一体的に形成することによって、電子機器ケース４０の外周は切れ目や嵌合部分がない（平面に展開できない）構造とすることができる。このように電子機器ケース４０を一体的に形成することによって、電子機器ケース４０の外周に切れ目や嵌合部をなくし、電子機器ケース４０の強度を増すことができるとともに、嵌合部の構造公差の影響を少なくすることができる。
【００３４】
また、電子機器ケース４０が金属製のときに、プリント基板３０の取付穴３１にアース端子を備えると、ネジ４６を介してプリント基板３０に配置された回路を電子機器ケース４０に電気的に接続することができる。なお、図示していないが、プリント基板３０に配置された回路と電子機器ケース４０との間に、接地用コンデンサを介在させて電気的に接続する構造をとっている。
【００３５】
なお、電子機器ケース４０が金属製でないとき、例えば樹脂製の場合は、基板固定機構４５に別途被取付機器と電気的に接続する中継端子を備えて、プリント基板３０のアース端子と中継端子を電気的に接続してもよい。
【００３６】
なお、本実施の形態では、プリント基板３０の形状が長方形の場合について説明したが、正方形であってもよい。
【００３７】
また、本実施の形態では、基板固定機構４５を１つ備える場合について説明したが、２つ以上備えてもよい。
【００３８】
実施例１．
本実施例は、電子機器を取り付けた照明器具（取付機器）を説明する。
【００３９】
図６は、本実施例を示す照明器具の斜視図であり、図７は、図６に示す照明器具の分解斜視図である。
【００４０】
照明器具１００は、電子機器１０が取り付けられる器具本体２００と、器具本体２００の両端部に取り付けられ、ランプＬが着脱可能の取り付けられるランプソケット３００と、器具本体２００を覆うように取り付けられ、ランプＬが発した光を反射する反射板４００と、この反射板４００を器具本体２００に固定する固定具５００と、器具本体２００に取り付けられ、電子機器１０と電気的に接続される端子台６００を備える。
【００４１】
器具本体２００は、電子機器１０および端子台６００が取り付けられるほぼ平面状の取付部２０１と、長手方向の両端側に、ランプソケットが取り付けられるランプソケット取付台座２０２と、固定具５００が取り付けられる固定具取付台座２０３（図示しない）を備える。
【００４２】
反射板４００は、固定具５００が挿入されて器具本体２００に固定される固定具取付部４０１と、長手方向両端に備えられ、ランプソケット３００が反射面側に突出するように挿入されるランプソケット挿入部４０２とを備える。
【００４３】
電子機器１０は、電子機器ケース４０の平面部４４が器具本体２００の取付部２０１に面接触するように取り付けられる。
【００４４】
したがって、電子機器ケース４０の平面部４４が、器具本体２００の取付部２０１に接触するように取り付けられるので、電子機器ケース４０は、半円形曲面部４１または曲面側壁部４２、４３の曲面によって、器具本体２００（取付部２０１）への取り付けが不安定になることはなく、安定した状態で電子機器１０（電子機器ケース４０）を器具本体２００（取付部２０１）に取り付けることができる。
【００４５】
実施の形態２． 
本実施の形態は、実施の形態１の電子機器の電子機器ケースの内周に沿って絶縁シートを配置したものである。実施の形態１と同様の構成については同符号を付し、説明を省略する。
【００４６】
図８は、本実施の形態を示す電子機器の斜視図であり、図９は、図８に示す電子機器の長手方向の側面を示す長手側面図であり、図１０は、図８に示す電子機器の短手方向の側面を示す短手側面図である。
【００４７】
電子機器１０ａは、電子部品２０が実装される略長方形のプリント基板３０と、このプリント基板３０を収納する筒状の電子機器ケース４０ａと、プリント基板３０と電子機器ケース４０ａとの間に取り付けられる絶縁シート５０（絶縁部材）を備える。
【００４８】
電子機器ケース４０ａは、断面形状がＤ字状あるいはカマボコ状をなしている。
【００４９】
この電子機器ケース４０ａの断面形状は、それぞれ、プリント基板３０の一辺の長さとほぼ等しいまたはやや長い長さの直径（半径ｒ）の半円形をなす半円形曲面部４１と、この半円形曲面部４１の中心と等しい位置から、半円形曲面部４１の半径ｒと同じ長さで軌跡を描き、半円形曲面部４１から突出する２つの曲面側壁部４２ａ、４３ａと、この２つの曲面側壁部４２ａ、４３ａを結ぶように備えられる略直線状の平面部４４と、プリント基板３０を固定する基板固定機構４５（固定部）と、この基板固定機構４５にネジ４６が取り付けられるネジ受け穴４７と、被取付機器に取り付けるネジなどが挿入される機器取付穴４８からなっている。
【００５０】
絶縁シート５０は、断面形状が電子機器ケース４０ａの内径の形状とほぼ同様の形状であり、電子機器ケース４０ａの内径に沿って取り付けられる。
【００５１】
また、絶縁シート５０は、シート状のプラスチックシート（例えば、ポリエチレン、ポリエステルフィルムなど）の短手方向の両端側を折り曲げて、断面形状を「コ」の字状に形成されている。絶縁シート５０は、弾性力を持っており、折り曲げられた絶縁シート５０の両端を内側に変形させる（例えば、曲面を描くように撓ませる）ことができる。
【００５２】
次に、この実施の形態における電子機器の組み立て工程について説明する。
【００５３】
図１１は、本実施の形態の電子機器の組み立て工程を示す組立斜視図であり、図１１（ａ）は、電子機器ケースに絶縁シートを挿入する前の状態を示す斜視図、図１１（ｂ）は、電子機器ケースに絶縁シートを挿入する過程を示す斜視図、図１１（ｃ）は、電子機器ケースに絶縁シートを挿入した状態を示す斜視図、図１１（ｄ）は、プリント基板を電子機器ケースに挿入する過程を示す斜視図、図１１（ｅ）は、プリント基板を電子機器ケースに挿入した状態を示す斜視図である。
【００５４】
まず、絶縁シート５０の両端を内側に撓ませ、電子機器ケース４０ａの開口部から滑り込ませるように挿入・収納する。（図１１（ａ）、図１１（ｂ））
【００５５】
撓ませた絶縁シート５０の両端は、電子機器ケース４０ａに挿入すると、絶縁シート５０の弾性力で電子機器ケース４０ａの内壁（曲面側壁部４２、４３の内側）に接触し、絶縁シート５０の断面は、電子機器ケース４０ａの断面（断面内壁）とほぼ同じ形状となる。
【００５６】
次に、プリント基板３０を、絶縁シート５０を収納する電子機器ケース４０ａの開口部から滑り込ませるように挿入し、収納する。（図１１（ｃ）〜図１１（ｅ））
【００５７】
このとき、実施の形態１とほぼ同様に、プリント基板３０の断面対角寸法３（両側端部の対角を結ぶ線の長さ）は、電子機器ケースの内径と同等であるため、プリント基板３０が電子機器ケース４０ａの開口部に挿入すると、プリント基板３０の両側端部（プリント基板３０の両側端部の角部）が電子機器ケース４０ａの内壁に接触し、電子機器ケース４０ａの内径に対するプリント基板３０の位置（上下左右方向）は自然と決まる。
【００５８】
なお、絶縁シート５０の厚さは薄く、また、電子機器ケース４０ａの内壁に接触するように電子機器ケース４０ａ内に収納されているので、本実施の形態では、説明の都合上、絶縁シート５０の厚さは電子機器ケース４０ａの内径寸法に含むものとして、電子機器ケース４０ａの内径寸法と絶縁シート５０の内径寸法とプリント基板３０の外形寸法とのそれぞれの関係についての詳細説明を省略するが、実際には、電子機器ケース４０ａに絶縁シート５０を収納した状態での絶縁シート５０の内径寸法とプリント基板３０の外形寸法によって、プリント基板３０の位置が自然と決まるものである。
【００５９】
次に、電子機器ケース４０ａに収納後、プリント基板３０は電子機器ケース４０ａの内径に沿って回転させ、プリント基板３０を基板固定機構４５に接触させ、プリント基板３０の取付穴３１にネジ４６などの固定部材を挿入して基板固定機構４５のネジ受け穴４７にねじ込み、プリント基板３０を基板固定機構４５に固定する。
【００６０】
次に、プリント基板３０をＡ方向にスライドさせて、電子機器ケース４０ａ内に収納し、プリント基板３０の取付穴３１にネジ４６を挿入して、基板固定機構４５にネジ止めする。
【００６１】
このように、プリント基板３０は、短手方向の一端側には取付穴３１が設けられており、この取付穴３１にネジ４６を挿入して、プリント基板３０を基板固定機構４５に固定する。したがって、プリント基板３０が電子機器ケース４０ａの内径に沿って回転するのを防止できる。
【００６２】
また、プリント基板３０を電子機器ケース４０ａに収納するとともに固定するので、電子機器ケース４０ａおよびプリント基板３０の寸法公差の影響を受けにくくすることができる。
【００６３】
また、プリント基板３０と電子機器ケース４０ａとの間に絶縁シート５０を介在させるので、絶縁シート５０によって、プリント基板３０と電子機器ケース４０ａとの絶縁距離が確保できる。
【００６４】
したがって、絶縁シート５０を配置することにより、プリント基板３０に実装された電子部品やプリント基板３０のパターンとの充電部と電子機器ケース４０ａ間の空間距離が短く出来るため、曲面側壁部４２、４３の高さを低くして、プリント基板３０と平面部の距離を近づけることができ、電子機器ケース４０ａの外形を小型化することができ、電子機器１０ａの小型化につながる。
【００６５】
なお、本実施の形態では、絶縁シート５０の断面形状を電子機器ケース４０ａの内径とほぼ同様の形状の場合について説明したが、電子機器ケース４０ａとプリント基板３０との絶縁距離が取れればよく、電子機器ケース４０ａの平面部４４とプリント基板３０の間に挿入する平面状などであってもよい。
【００６６】
また、本実施の形態では、絶縁シート５０を電子機器ケース４０ａとプリント基板３０との間に挿入する場合について説明したが、電子機器ケース４０ａとプリント基板３０との絶縁距離が充分に保てる場合は、絶縁シート５０を挿入しなくてもよい。例えば、本実施の形態では、電子機器ケース４０ａの内壁（半円形曲面部４１、曲面側壁部４２ａ、４３ａおよび平面部４４）に密着させる場合について説明したが、プリント基板３０と半円形曲面部４１、曲面側壁部４２ａ、４３ａとの絶縁距離が充分である場合は、平面部４４とプリント基板３０との間のみ絶縁シート５０を備えてもよい。
【００６７】
また、本実施の形態では、絶縁シート５０を用いる場合について説明したが、絶縁シート５０を用いることなく、電子機器ケース４０ａの両端部からシリコンやウレタンなどの流動性のある充填材（絶縁部材）を電子機器ケース４０ａの内部に充填しても良い。ここで用いるシリコンやウレタンなどの充填材（絶縁部材）は、電子機器ケース４０ａに充填後固まる特性を有したものを用いる。
【００６８】
このように、絶縁部材として、シリコンやウレタンなどの充填材を用いる場合であっても、電子機器ケース４０ａには切れ目や嵌合部がないため、シリコンやウレタンなどが電子機器ケース４０ａの外部に流れ出すことはない。
【００６９】
図１２は、本実施の形態の他の電子機器の短手方向の短手側面図である。
【００７０】
図１２に示す電子機器は、図８に示す電子機器の平面部を底面平面部とするとき、上面に上面平面部を設けたものである。
【００７１】
この電子機器ケース４０ｂは、底面平面部４４ａの対角にもう一箇所平らな上面平面部４４ｂを有する構造である。
【００７２】
電子機器１０ｂは、電子機器ケース４０ｂとプリント基板３０との間に絶縁シート５０を備えるので、電子機器ケース４０ｂの上面平面部４４ｂと、プリント基板３０に実装される電子部品２０との絶縁距離を保つことができる。
【００７３】
このように、図１０に示す電子機器４０ａでは、電子機器ケース４０ａの上部は円形であり、収納されたプリント基板３０の実装電子部品と電子機器ケース４０ａの上部間には余分な空隙が存在する場合がある。このような場合に、図１２に示す電子機器１０ｂのように、上面平面部４４ｂを設け、プリント基板３０に実装される電子部品２０と上面平面部４４ｂとの間の余分な空隙を無くすことで、電子機器ケース４０ｂの小型化が可能になり、電子機器１０ｂが搭載される照明器具１００（取付機器）の小型化・薄型化が可能になる。
【００７４】
実施の形態３．
本実施の形態は、実施の形態１または実施の形態２に示す電子機器の基板固定機構４５の形状を変更したものである。実施の形態１または実施の形態２と同様の構成については同符号を付し、説明を省略する。
【００７５】
図１３は、本実施の形態を示す電子機器の斜視図であり、図１４は、図１３に示す電子機器の長手方向の長手側面図であり、図１５は、図１３に示す電子機器の短手方向の短手側面図である。
【００７６】
電子機器１０ｃは、電子部品２０を実装される略長方形のプリント基板３０と、このプリント基板３０を収納する筒状の電子機器ケース４０ｃと、電子機器ケース４０ｃの両端部にそれぞれ取り付けられ、プリント基板３０を電子機器ケース４０ｃ内に固定する基板固定部材４５ａとを備える。
【００７７】
電子機器ケース４０ｃは、断面形状がＤ字状あるいはカマボコ状をなしている。
【００７８】
この電子機器ケース４０ｃの断面形状は、それぞれ、プリント基板３０の一辺の長さとほぼ等しいまたはやや長い長さの直径（半径ｒ）の半円形をなす半円形曲面部４１と、この半円形曲面部４１の中心と等しい位置から、半円形曲面部４１の半径ｒと同じ長さで軌跡を描き、半円形曲面部４１から突出する２つの曲面側壁部４２ａ、４３ａと、この２つの曲面側壁部４２ａ、４３ａを結ぶように備えられる略直線状の平面部４４と、被取付機器に取り付けるネジなどが挿入される機器取付穴４８からなっている。
【００７９】
図１６は、本実施の形態を示す基板固定部材の斜視図である。
基板固定部材４５ａは、「コ」の字状をなしており、プリント基板３０に接触する基台部４５ａ１と、この基台部４５ａ１を切り欠いた切欠部４５ａ２と、基台部４５ａ１に設けられ、ネジ４６がねじ込まれるネジ穴４５ａ３とを備える。切欠部４５ａ２が、曲面側壁部４２ａ、４３ａに挿入され、２つの基板固定部材４５ａにより電子機器ケース４０ｃの両端を挟み込んで、プリント基板３０が、電子機器ケース４０ｃの長手方向および電子機器ケース４０ｃの回転方向へ移動するのを規制し、電子機器ケース４０ｃ内の所定の位置に固定する。
【００８０】
次に、この電子機器の組み立て工程について説明する。
まず、電子機器ケース４０ｃの一端側の曲面側壁部４２ａに、基板固定部材４５ａの切欠部４５ａ２を挿入して取り付ける。
【００８１】
次に、電子機器ケース４０ｃの他端側からプリント基板３０を挿入し、電子機器ケース４０ｃの一方側に取り付けた基板固定部材４５ａに接触させ、ネジ４６をプリント基板３０の取付穴３１に挿入し、基台部４５ａ１のネジ穴４５ａ３にねじ込み、プリント基板３０を基板固定部材４５ａに固定する。
【００８２】
次に、電子機器ケース４０ｃの他端側の曲面側壁部４３ａに、もう一つの基板固定部材４５ａの切欠部４５ａを挿入し、ネジ４６をプリント基板３０の取付穴に３１挿入して、基台部４５ａ１のネジ穴４５ａ３にねじ込み、プリント基板３０を基板固定部材４５ａに固定する。
【００８３】
このように、２つの基板取付部材４５ａによって、プリント基板３０の両端が挟みこまれて、電子機器ケース４０ｃの回転方向およびプリント基板３０の挿入方向へずれるのを防止できる。
【００８４】
図１７は、本実施の形態を示す他の電子機器の斜視図であり、図１８は、図１７に示す電子機器の長手方向の長手側面図であり、図１９は、図１７に示す電子機器の短手方向の短手側面図である。
【００８５】
電子機器１０ｄは、電子部品２０を実装される略長方形のプリント基板３０と、このプリント基板３０を収納する筒状の電子機器ケース４０ｄと、電子機器ケース４０ｄの両端部にそれぞれ取り付けられ、プリント基板３０を電子機器ケース４０ｄ内に固定する基板固定部材４５ｂとを備える。
【００８６】
図２０は、本実施の形態を示す他の基板固定部材であり、図２０（ａ）は斜視図、図２０（ｂ）は側面図である。
【００８７】
基板固定部材４５ｂは、側面形状が「コ」の字状に折り曲げられて形成される基台部４５ｂ１と、基台部４５ｂ１から側方に突出する固定板４５ｂ２と、基台部４５ｂ１から斜め方向に突出する基板取付ガイド部４５ｂ３と、基台部４５ｂ１の両端部がＬ字状に折り曲げられて形成する引掛部４５ｂ４と、基台部４５ｂ１または固定板４５ｂ２に設けられ、ネジ４６がねじ込まれるネジ穴４５ｂ５とを備える。
【００８８】
基板取付ガイド部４５ｂ３は、プリント基板３０を電子機器ケース４０ｄに挿入するときに、プリント基板３０の回転方向にガイドし、プリント基板３０が基板取付ガイド部４５ｂ３に接触して回転し、基板固定部材４５ｂおよび基台部４５ｂ１の面上に載るようにガイドする。
【００８９】
ネジ穴４５ｂ５は、ネジ４６がねじ込まれ、プリント基板３０を固定する。
【００９０】
基板固定部材４５ｂは、電子機器ケース４０ｄの両端に装着され、プリント基板３０の両端を保持する。
【００９１】
このように、基板取付部材４５ｂによって、プリント基板３０の両端を電子機器ケース４０ｄに固定するので、プリント基板３０を電子機器ケース４０ｄに挿入すると電子機器ケース４０ｄの縦方向、横方向の位置決めを行うとともに、基板取付ガイド部４５ｂ３によってプリント基板３０の回転がガイドされ、基台部４５ｂ１によって回転を規制するとともに位置決めを行うことができる。
【００９２】
電子機器１０ｄの組み立て工程は、電子機器１０ｃの組み立て工程と同様のため説明を省略した。
【００９３】
実施の形態４．
本実施の形態は、実施の形態１または実施の形態２に示す電子機器の電子機器ケースの形状を変更したものである。実施の形態１または実施の形態２と同様の構成については同符号を付し、説明を省略する。
【００９４】
図２１は、本実施の形態の電子機器の斜視図であり、図２２は、図２１の電子機器の側面図である。
【００９５】
電子機器１０ｅは、電子部品２０を実装される略長方形のプリント基板３０と、このプリント基板３０を収納する筒状の電子機器ケース４０ｅと、電子機器ケース４０ｅの両端部にそれぞれ取り付けられ、プリント基板３０を電子機器ケース４０ｅ内に固定する基板固定部材４５ｃと、プリント基板３０の長手方向両端部を基板固定部材４５ｃに固定するネジ４６を備える。
【００９６】
電子機器ケース４０ｅは、断面形状がＤ字状あるいはカマボコ状をなしている。
【００９７】
この電子機器ケース４０ｅの断面形状は、それぞれ、プリント基板３０の一辺の長さとほぼ等しいまたはやや長い長さの直径（半径ｒ）の半円形をなす半円形曲面部４１と、この半円形曲面部４１の中心と等しい位置から、半円形曲面部４１の半径ｒと同じ長さで軌跡を描き、半円形曲面部４１から突出する２つの曲面側壁部４２ｂ、４３ｂと、この２つの曲面側壁部４２ｂ、４３ｂを結ぶように備えられる略直線状の平面部４４からなっている。
【００９８】
図２３は、本実施の形態の電子機器の基板固定部材の斜視図である。
【００９９】
基板固定部材４５ｃは、基台部４５ｃ１と、この基台部４５ｃ１から延出する機器取付部４５ｃ２と、基台部４５ｃ１に設けられ、略「コ」の字状に切り欠いた切欠部４５ｃ３と、基台部４５ｃ１に設けられ、ネジ４６がねじ込まれるネジ穴４５ｃ４と、機器取付部４５ｃ２に設けられ、被取付機器に取り付けるネジ４６などが挿入される機器取付穴４８ａを備える。
【０１００】
電子機器ケース４０ｅの一方の曲面側壁部４２ｂに切欠部４５ｃ３を挿入し、電子機器ケース４０ｅの他方からプリント基板３０を挿入する。
【０１０１】
挿入したプリント基板３０の一端側を基台部４５ｃ１のネジ穴４５ｃ４にネジ止めして固定する。
【０１０２】
次に、電子機器ケース４０ｅの他方側の曲面側壁部４３ｂに切欠部４５ｃ３を挿入し、プリント基板３０の他方側を電子機器ケース４０ｅに固定する。
【０１０３】
したがって、２つの基板固定部材４５ｃによって、プリント基板３０の両端が挟みこまれて、電子機器ケース４０ｅの回転方向およびプリント基板３０の挿入方向へずれるのを防止できる。
【０１０４】
図２４は、本実施の形態の他の電子機器の斜視図であり、図２５は、図２４の電子機器の長手方向の長手側面図であり、図２６は、図２４の電子機器の短手方向の短手側面図である。
【０１０５】
電子機器１０ｆは、電子部品２０が実装される略長方形のプリント基板３０と、このプリント基板３０を収納する筒状の電子機器ケース４０ｆと、電子機器ケース４０ｆの両端部にそれぞれ取り付けられ、プリント基板３０を電子機器ケース４０ｆ内に固定する基板固定部材４５ｄと、プリント基板３０の長手方向両端部を基板固定部材４５ｄに固定するネジ４６を備える。
【０１０６】
電子機器ケース４０ｆは、断面形状がＤ字状あるいはカマボコ状をなしている。
【０１０７】
この電子機器ケース４０ｆの断面形状は、それぞれ、プリント基板３０の一辺の長さとほぼ等しいまたはやや長い長さの直径（半径ｒ）の半円形をなす半円形曲面部４１ａと、この半円形曲面部４１ａの中心と等しい位置から、半円形曲面部４１ａの半径ｒと同じ長さで軌跡を描き、半円形曲面部４１ａから突出する２つの曲面側壁部４２ｂ、４３ｂと、この２つの曲面側壁部４２ｂ、４３ｂを結ぶように備えられる略直線状の平面部４４からなっている。
【０１０８】
半円形曲面部４１ａの長手方向の両端には、ドライバなどが挿入される挿入穴４９を備える。
【０１０９】
図２７は、本実施の形態の他の基板取付部材の斜視図および側面図である。
基板取付部材４５ｄは、基台部４５ｄ１と、基台部４５ｄ１の両側側から立設し、外形が電子機器ケース４０ｅの曲面側壁部４２、４３の内径形状と同様の曲面を有するプリント基板取付部４５ｄ２と、プリント基板取付部４５ｄ２の基台部４５ｄ１側に設けられ、プリント基板３０が挿入されるスリット４５ｄ３と、基台部４５ｄ１に設けられ、ネジ４６がねじ込まれるネジ穴４５ｄ４と、基台部４５ｄ１の短手方向端部から突出して設けられる機器取付部４５ｄ５と、機器取付部４５ｄ５に設けられ、被取付機器に取り付けるネジなどが挿入される機器取付穴４８ｂを備える。
【０１１０】
次に電子機器４０ｆの組み立て工程について説明する。
電子機器ケース４０ｆの一方の曲面側壁部４２ｂ、４３ｂの内壁にプリント基板取付部４５ｄ２の外形が接触するように基板取付部材４５ｄを挿入し、電子機器ケース４０ｅの他方からプリント基板３０を挿入する。
【０１１１】
挿入したプリント基板３０の一端側が、スリット４５ｄ３に挿入され、ドライバなどを挿入穴４９に挿入してネジ４６を基台部４５ｄ１のネジ穴４５ｄ４にネジ止めしてプリント基板３０を固定する。
【０１１２】
次に、電子機器ケース４０ｆの他方側の曲面側壁部４２ｂ、４３ｂの内壁にプリント基板取付部４５ｄ２の外形が接触させるとともに、プリント基板３０の他方側にスリット４５ｄ３を挿入し、一端側と同様に、ドライバなどを挿入穴４９に挿入してネジ４６をネジ穴４５ｄ４にねじ込み、プリント基板３０の他方側を電子機器ケース４０ｆに固定する。
【０１１３】
したがって、２つの基板取付部材４５ｄによって、プリント基板３０の両端が挟みこまれて、電子機器ケース４０ｆの回転方向およびプリント基板３０の挿入方向へずれるのを防止できる。
【符号の説明】
【０１１４】
１０、１０ａ〜１０ｆ  電子機器、２０  電子部品、２０ａ  トランス、２０ｂ、２０ｃ  コンデンサ、２０ｄ、２０ｅ  端子台、３０  プリント基板、３１  取付穴、４０、４０ａ〜４０ｆ  電子機器ケース、４１  半円形曲面部、４２、４２ａ、４２ｂ、４３、４３ａ、４３ｂ  曲面側壁部、４４  平面部、４４ａ  下面平面部、４４ｂ  上面平面部、４５  基板固定機構、４５ａ〜４５ｄ  基板固定部材、４５ａ１  基台部、４５ａ２  切欠部、４５ａ３  ネジ穴、４５ｂ１  基台部、４５ｂ２  固定板、４５ｂ３  基板取付ガイド部、４５ｂ４  引掛部、４５ｂ５  ネジ穴、４５ｃ１  基台部、４５ｃ２  機器取付部、４５ｃ３  切欠部、４５ｃ４  ネジ穴、４５ｃ５  機器取付穴４５ｄ１  基台部、４５ｄ２  プリント基板取付部、４５ｄ３  スリット、４５ｄ４  ネジ穴、４５ｄ５  機器取付部、４５ｄ６  機器取付穴、４６  ネジ、４７  ネジ受け穴、４８、４８ａ、４８ｂ  機器取付穴、４９  挿入穴、５０  絶縁シート、１００  照明器具、２００  器具本体、２０１  取付部、２０２  取付台座、２０３  固定具取付台座、３００  ランプソケット、４００  反射板、４０１  固定具取付部、４０２  ランプソケット挿入部、５００  固定具、６００  端子台、Ｌ  ランプ。
【図１】
2011049443.tif 000003
【図２】
2011049443.tif 000004
【図３】
2011049443.tif 000005
【図４】
2011049443.tif 000006
【図５】
2011049443.tif 000007
【図６】
2011049443.tif 000008
【図７】
2011049443.tif 000009
【図８】
2011049443.tif 000010
【図９】
2011049443.tif 000011
【図１０】
2011049443.tif 000012
【図１１】
2011049443.tif 000013
【図１２】
2011049443.tif 000014
【図１３】
2011049443.tif 000015
【図１４】
2011049443.tif 000016
【図１５】
2011049443.tif 000017
【図１６】
2011049443.tif 000018
【図１７】
2011049443.tif 000019
【図１８】
2011049443.tif 000020
【図１９】
2011049443.tif 000021
【図２０】
2011049443.tif 000022
【図２１】
2011049443.tif 000023
【図２２】
2011049443.tif 000024
【図２３】
2011049443.tif 000025
【図２４】
2011049443.tif 000026
【図２５】
2011049443.tif 000027
【図２６】
2011049443.tif 000028
【図２７】
2011049443.tif 000029